(57)【要約】【課題】  撮像装置を構成するビデオカメラのアクセサリー用のシューを改良して民生用及び業務用に兼用可能で、業務用の大きく重いアクセサリーの取り付けにも充分耐える撮像装置とシューアダプタを提供する。【解決手段】  横長のケース本体１１の上部に設けられた取手２０の先端に設けられた突出部２５のマイクロホン筐体７５上に略矩形状で横断面がＴ字状の三脚用のアクセサリーシュー４１を固定し、このアクセサリーシュー４１の中央にアクセサリー取付用の雌ネジ７９を形成することで、業務用のアクセサリーを取り付け取り外し自在とする。【選択図】        図３
2006074695.tif 000002
【特許請求の範囲】
【請求項１】
横長のケース本体の１端にレンズ系を有する光学手段を配し、該光学手段の光軸と垂直に直交する面上に該光軸と平行するように取手を有し、該取手の先に設けた表示手段を備えた撮像装置において、
前記表示装置の先端に設けた突出部を構成するマイクロホン筐体上に三脚用シューを配設してなることを特徴とする撮像装置。
【請求項２】
前記三脚シューは、平面が略矩形状で横断面が略Ｔ字状と成され、その中心部にネジを刻設して成ることを特徴とする請求項１記載の撮像装置。
【請求項３】
前記三脚シューには業務用のアクセサリーを雄ネジにより取り付け自在と成したことを特徴とする請求項１又は請求項２記載の撮像装置。
【請求項４】
前記三脚シューに民生用の断面がコ字状のシューを配設したアダプタを着脱自在と成したことを特徴とする請求項１又は請求項２記載の撮像装置。
【請求項５】
略矩形状のシューアダプタベースの１端側に断面がコ字状のシューを配設し、他方の1側端に雄ネジを回動可能に配設したことを特徴とするシューアダプタ。
【請求項６】
前記雄ネジは前記シューアダプタベースにスプリングを介して回動可能に枢着され、板状ネジ回しで回動可能と成されていることを特徴とする請求項５記載のシューアダプタ。
【発明の詳細な説明】
【技術分野】
【０００１】
本発明は、横長の業務用又はプロアマチュア用の撮像装置に用いる業務用アクセサリー及び民生用のアクセサリーの取り付けに好適な撮像装置及びシューアダプタに係わり、特に、業務用の大型のアクセサリーを撮像装置のケース本体に直接取り付け可能な撮像装置及びシューアダプタに関する。
【背景技術】
【０００２】
従来から、撮像装置やカメラの民生用のアクセサリーの取り付け構造が種々提案されている。例えば特許文献１には、カメラ本体に備えられたアクセサリーシューに使用するアクセサリーと電気的接続を確保するような延長アダプタの技術の記載がされている。即ち、この構成は、カメラ側の通常のアクセサリーシューと着脱自在な装着脚上に、シューコンタクト式フラッシュ装置の装着動作に関連して、フラッシュ装置の接点に係接し、かつカメラ側のコード接続式シンクロソケットに挿入すべきプラグ付コードと接続せしめられるコンタクト接点を有するアクセサリーシュー部分を形成したシューコンタクト式アクセサリーシューアダプタが示されている。
【０００３】
然し、この構成ではカメラ本体側に備えられたアクセサリーシューは延長されたアダプタに備えられたシュー形状と同様な形状であり、いわゆる一般民生用アクセサリーを取り付けるには良いが、業務用などの大型アクセサリーを取り付けるのは信頼性の面で不十分となるか課題を有する。
【０００４】
又、特許文献２には、延長アダプタをユニバーサルジョイントで構成し、アクセサリー取付後に操作の邪魔にならないよう、かつ使用者の任意の位置でアクセサリーを保持できるようになした延長アダプタの記載がなされている。即ち、この構成は、アクセサリーシューと嵌合する取り付け脚と、閃光装置を取り付ける為のシューの間にユニバーサルジョイントをもうけ、このユニバーサルジョイントに係わる回動を制限する手段を付設すると共に、ユニバースジョイント内に発光信号伝達用電気配線を挿通させたバウンスシューアダプタが開示されている。
【０００５】
然し、この構成でも特許文献１と同様カメラ本体側に備えられたアクセサリーシューは延長されたアダプタに備えられたシュー形状と同様な形状であり、又、ユニバーサルジョイントで保持するので、いわゆる一般民生用アクセサリーを取り付けるには良いが、業務用などの大型アクセサリーを取り付けるのは信頼性の面で不十分となる課題があった。
【０００６】
上記２つの特許文献に開示の信頼性の課題を解決する為に、非特許文献３に開示された技術の様に、強固なアクセサリーアダプタを三脚用のネジ部に嵌合させで大型のアクセサリーを保持するアダプタシューも存在する。
【０００７】
即ち、上述の技術は図１０に示す様に構成されている。図１０において、１００は全体として業務用のアクセサリーシューアダプタを示し、略Ｌ字状に折り曲げられた基板１０１に楕円状の溝１０２を基板１０１の長手方向に形成し、この溝１０２を通して、基板１０１上に載置した撮像装置を構成するビデオカメラやカメラを第１の雄ネジ１０３で基板１０１上に固定する。基板１０１と直交する様に配設されたスライド板１０４は略長方形状の板材から成り、楕円状の溝１０５がスライド板１０４の長手方向に形成されている。この溝１０５を通して第２の雄ネジ１０６で基板１０１に対するスライド板１０４のＸ軸方向位置の調整がなされる。
【０００８】
スライド板１０４の他方には軸受１１０を中止に折り畳み可能としたコ字状に折り曲げられたスタンド板１０７が立設され、下部には第３の雄ネジ１０９を介してスライド板１０４に固定される。スタンド板１０７の上部には通常のカメラなどに多用されている断面コ字状のシュー１０８が固定されている。
【０００９】
上記構成のアクセサリーシューアダプタ１００はスタンド板１０７の上部に配設したシュー１０８に民生用或いは業務用のアクセサリーとしてのビデオライトやカラモニターなどが嵌め込まれる。又、持ち運びに便利なように折り畳み構造をとっている。
【特許文献１】実開昭４９−４７６２４号公報
【特許文献２】実開昭５５−１１６３２８号公報
【非特許文献１】ｈｔｔｐ：／／ｗｗｗ．ｄｅｎｋｉｙａ．ｃｏ．ｊｐ／  、  アクセサリーシューアダプタ、  ＳＯＮＹ  ＶＣＴ−５５Ｌ
【発明の開示】
【発明が解決しようとする課題】
【００１０】
然し、上述の非特許文献３の構造であると、アクセサリーシューアダプタ１００自体が大きくなってしまう課題があり、比較的大きな業務用の撮像装置では撮影時にアンバランス状態となり、撮像装置を携帯状態で撮影が困難となる弊害があった。
【００１１】
本発明は上述の課題を解決するためになされたもので、本発明が解決しようとするか課題は、撮像装置にアクセサリー取り付ける際に、ハイアマチュアや業務用乃至プロ用の撮像装置では大きく重いアクセサリーを付けるので、通常とは逆の断面Ｔ字状のホルダ用のシューを撮像装置のケース本体にしっかりと取り付け、このホルダ用のシューに横から見てコ字状のシューアダプタを介してアクセサリー類を取り付ける様に構成することにより、アクセサリー類を極めて強固に、且つ操作等の邪魔にならない位置に取り付けることを可能とした撮像装置及びシューアダプタ提供することを目的とする。
【課題を解決するための手段】
【００１２】
本発明は、業務用或いはハイアマチュア用のニュース取材等に使用される高画質用の撮像装置に用いるシュー及びアクセサリーシューアダプタに係り、特に業務用アクセサリーと民生用のアクセサリーを共用する為のアダプタを非常にコンパクトに構成し、携帯性に優れ業務用及び民生用のどちらのアクセサリーを使用する場合でも撮影時の操作の邪魔をしない、非常に強固にアクセサリーを撮像装置のケース本体に保持できる様にした撮像装置及びシューアダプタを提供するものである。
【００１３】
第１の本発明は、横長のケース本体の１端にレンズ系を有する光学手段を配し、この光学手段の光軸と垂直に直交する面上に光軸と平行するように取手を有し、この取手の先に設けた表示手段を備えた撮像装置において、表示装置の先端に設けた突出部を構成するマイクロホン筐体上に三脚用シューを配設してなることを特徴とする撮像装置とするものである。
【００１４】
第２の本発明は、略矩形状のシューアダプタベースの１端側に断面がコ字状のシューを配設し、他方の１側端に雄ネジを回動可能に配設したことを特徴とするシューアダプタとしたものである。
【発明の効果】
【００１５】
第１の本発明によれば、業務用アクセサリーを撮像装置のケース本体に非常に強固御に保持可能で、撮影時に操作の邪魔にならず、バランスの良い撮像装置が提供可能となる。
【００１６】
第２の本発明によれば、民生用のアクセサリーを取り付ける為のアクセサリーシューアダプタを非常にコンパクトに構成することが出来、携帯性に優れ、民生用のアクセサリーシューアダプタを使用する場合でも撮影操作の邪魔にならないシューアダプタが得られる。
【００１７】
本発明の撮像装置及びシューアダプタは業務用アクセサリーと民生用のアクセサリーを共用して撮像装置のケース本体に取り付け可能であり、特に、アクセサリーシューアダプタを非常にコンパクトに構成し、携帯性に優れたものが得られる。又、業務用及び民生用のどちらのアクセサリーを使用する場合でも撮影時の操作の邪魔をしない、非常に強固にアクセサリーを撮像装置のケース本体に保持できる効果を生ずる。
【発明を実施するための最良の形態】
【００１８】
本発明の撮像装置は、取手の先端に形成したマイクロホン筐体の上部に三脚用のシューを配設し、業務用の大型のアクセサリーを直接取り付け、民生用の小型のアクセサリーはアダプタを介して撮像装置に取り付けるようにし、業務用及び民生用のアクセサリーが装着可能となる撮像装置及びシューアダプタを得ることを目的とするものである。
【実施例１】
【００１９】
以下、本発明の撮像装置及びシューアダプタに適用可能なビデオカメラを図１乃至図４の実施の形態例で説明する、図１は本発明に用いる撮像装置としての１形態例を示すカセット挿入口の開閉蓋を開いた状態を示すビデオカメラの斜視図、図２は図１のビデオカメラのカセット挿入口の開閉蓋を閉じた状態を示すビデオカメラの斜視図、図３は図１及び図２に示すビデオカメラとは反対側から視たビデオカメラの斜視図、図４は図１及び図２に示すビデオカメラの側面図である。
【００２０】
本発明の撮像装置、即ち、ビデオカメラは、業務用、プロ或いはハイアマチュア用のニュース取材等に使用される高画質用（ＨＤＶ）の記録／再生に適したもので、特に、ケース本体の上部中心位置に取手を有するビデオカメラの取手を持った状態で撮像を行なっても左右上下方向にアンバランス状態にならないで高画質の画像または映像を撮像可能であり、業務用或いはプロ用の大型で重量のあるアクセサリーを撮像装置のケース本体に雄型のシューに直接着脱可能となし、民生用の小型で軽量のアクセサリーはアダプタを介して雄型のシューに着脱可能となした撮像装置及びシューアダプタを提供しようとするものである。先ず、本発明の撮像装置の全体的な構成を以下説明する。
【００２１】
図１〜図４に示すビデオカメラ１０は撮像装置の一具体例を示すもので、情報記録媒体としてテープ状記録媒体を用いたデジタルビデオカセット（以下「ＤＶカセット」という。）を使用し、光学的な画像をＣＣＤ（電荷結合素子）で電気的な信号に変換してＤＶカセットに記録又は／及び再生（以下記録／再生と記す）し、液晶ディスプレイ等の表示装置に表示できるようにしたものである。然しながら、本発明の撮像装置としては、ビデオカメラに限定されるものではなく、電子スチルカメラその他の撮像装置に適用可能である。更に、情報記録媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭその他の記録可能な光ディスク、光磁気ディスク、磁気ディスク等のようなディスク状記録媒体、更には、半導体記録媒体等のようなその他の記録媒体を適用することもできる。
【００２２】
このビデオカメラ１０は、中空の筐体からなるケース本体１１と、このケース本体１１の前面に突出するように取り付けられたレンズ装置１２と、このレンズ装置１２から入力される光に基づいて被写体の映像信号を形成する撮像手段と、この撮像手段で形成された映像信号又は予め情報記録媒体（撮像手段の記憶装置或いはＤＶカセット）に記録されている情報に基づいて映像を表示する表示装置１３等から構成されている。ここで、本発明における映像と画像について定義する。本発明では、表示装置１３の表示面に表された１コマ毎の静止像を「画像」といい、その画像の任意数の集合の動画像を「映像」というものとする。従って、本発明の撮像装置は画像および映像を撮像可能な構成と成されている。
【００２３】
図１乃至図４において、撮像手段としてのビデオカメラ１０は、ケース本体１１の内部に収納されているＤＶカセット５１が着脱自在に装着されるカセットホルダ５０と、このカセットホルダ５０に装着されたＤＶカセット５１のテープ状記録媒体を走行させて情報信号の記録（書き込み）及び／又は再生（読み出し）（記録／再生）を行う記録／再生装置（以下メカデッキと記す）５２と、このメカデッキ５２の駆動制御等を行う制御装置から構成されている。メカデッキ５２はカメラレンズ及びＣＣＤを含むレンズ装置１２の光軸Ｌ（図４参照）上の後方に配置されていて、このレンズ装置１２のＣＣＤで電気的な信号に変換された情報がＤＶカセットに記録／再生される。
【００２４】
カセットホルダ５０のカセット挿入口５３はケース本体１１に設けた開口部５４から外部に突出可能とされていて、その開口部５４は、ケース本体１１に回動自在に取り付けられた開閉蓋１４によって開閉自在とされている。符号１５は、開閉蓋１４のロックを解除して開閉蓋１４を開く蓋開放ボタンである。この蓋開放ボタン１５をスライド操作することにより、開閉蓋１４の下部を回動自在に支持する軸を中心に回動されて、開閉蓋１４の上部がケース本体１１の側方（図１で手前側）に図１の様に開放される。
【００２５】
ケース本体１１の開閉蓋１４の下側には図２及び図４に示されている様に左側からアイリスボタン５５、ゲインボタン５６、シャッタスピードボタン５７、ホワイトバランスボタン５８、オートロックスィツチ５９が配設されている。更に、ケース本体１１の開閉蓋１５とレンズ装置１２間には後述する取手２０の真下に設けられたショートトランジション操作部６０とこの操作部６０の下に配されたフォーマットランプ６１と、フォーマットランプ６１の下に配された３個のＲＥＣレビューボタン６２、逆光補正ボタン６３、スポットライトボタン６４と、スポットライトボタン６４の下に設けられた３個のユーザ設定ボタン６５と、この３個のユーザ設定ボタン６５の隣に配されたフォーカスボタン６６とプッシュ自動ボタン６７とワンプッシュ方式のホワイトバランスボタン６８と、このフォーカスボタン６６の隣に配されたズームスィツチ６９等の手動操作可能な操作ボタン群及びランプが配設されている。勿論オート操作も可能なようにオートボタン群も設けられている。
【００２６】
又、ケース本体１１の背面の開閉蓋１４と反対側には、凹陥部からなるバッテリー収納部１６（図３参照）が形成されている。このバッテリー収納部１６には、電源としてのバッテリー１７が着脱可能に装着されている。そして、ケース本体１１の背面側には、図２及び図３に示す様に撮像手段を操作するための多数の操作ボタン（例えば、ピクチャープロファイルボタン、メニュースボタン、選択／決定ダイアル等）１８が設けられている。
【００２７】
ケース本体１１の上部には、レンズ装置１２の光軸方向である前後方向に延在されたマグネシューム・アルミニューム合金等で構成した取手２０が一体に設けられている。取手２０は、ケース本体１１の前側上部に立設された前脚部２０ａと、ケース本体１１の後側上部に立設された後脚部２０ｂと、これら前後脚部２０ａ，２０ｂの上端間を連結する把持部２０ｃから構成されている。取手２０の把持部２０ｃは、レンズ装置１２の光軸Ｌ（図４参照）から上方へ高さＨだけ離れた位置において光軸Ｌに略平行に延在されている。そして、取手２０の前脚部２０ａの下部と後脚部２０ｂは前側に傾斜するよう形成されていて、後脚部２０ｂの上部に電子ビューファインダ２１が取り付けられている。
【００２８】
電子ビューファインダ２１は、光軸Ｌ方向の後方に突出するように設けられていて、先端部にはアイカップ２２が取り付けられている。この電子ビューファインダ２１は、光軸方向前側において取手２０に回動自在に支持されており、アイカップ２２側が図３に示す様に略８０度上方へ回動可能に構成されている。
【００２９】
取手２０の前端部には、把持部２０ｃの先端に連続する台座部２４（図２参照）と、この台座部２４の先端に連続して光軸Ｌ方向の前方に突出する突出部２５が設けられている。突出部２５は、前方及び左右側方に開口された金属性のマグネシューム・アルミニューム合金からなる中空状の部分からなり、その内部にはマイクロホン２６が収納され、上部には金属製のアクセサリーシュー４１が形成されている。また、台座部２４は、光軸Ｌ方向と交差する方向の両側に張り出すように比較的大きく形成されていて、上面に開口する凹陥部が設けられている。この台座部２４には、多数の操作ボタンからなる操作ボタン群２７（図２参照）を有する蓋体が一体的に嵌合固定されている。
【００３０】
図４の側面図に示すように、台座部２４に装着された蓋体の上面２４ａは、光軸Ｌ方向の前側を高くして後方へ傾斜するように形成されている。即ち、取手２０の把持部２０ｃの中心線ＴＬが光軸方向Ｌに対して略平行となるように設定されていて、その中心線ＴＬに対して蓋体の上面２４ａが、若干後向きの線ＤＬとなるように傾斜角Φが設定されている。これにより、ビデオカメラ１０を体の前に捧げ持つ撮影者の目線が、蓋体の上面２４ａに対して交差する所定の角度となるようにしている。この蓋体に設けられる操作ボタン群２７の具体的内容としては、例えば、再生ボタン、停止ボタン、早送りボタン、巻戻しボタン、一時停止ボタン、音量調整スイッチ、バックライトスイッチ等をあげることができる。
【００３１】
この台座部２４の一方の側部には、回動支持部３０を介して表示装置としての液晶ディスプレイ１３が回動動作及び反転動作可能に取り付けられている。液晶ディスプレイ１３は、映像が表示される表示面１３ａ（図２参照）と、この表示面１３ａを露出させる開口部が設けられたケース部１３ｂを備えており、ケース部１３ｂが回動支持部３０と連結されている。回動支持部３０は、台座部２４に対して液晶ディスプレイ１３を光軸Ｌの方向と直交する方向である左右方向Ｓ（図１参照）に回動可能とした第１の回動部と、液晶ディスプレイ１３を光軸Ｌの方向である前後方向Ｔ（図１、図２参照）に回動可能とした第２の回動部から構成されている。
【００３２】
第１の回動部は、台座部２４の一側部において所定間隔をあけて設けられた一対の軸受部３１，３１と、両軸受部３１間に介在される軸受片３２と、これら一対の軸受部３１，３１及び軸受片３２を貫通する第１の回動軸３３から構成されている。第１の回動軸３３の軸心線方向と直交する方向に液晶ディスプレイ１３が略１８０度の角度範囲で左右方向Ｓに回動可能とされている。その結果、液晶ディスプレイ１３は、図１に示すように表示面１３ａと反対側のケース面が表側に現されるディスプレイ閉じ状態と、液晶ディスプレイ１３を左右方向へ１８０度回動させて表示面１３ａを表側に現したディスプレイ開き状態を取ることができる。
【００３３】
第２の回動部は、軸受片３２と、この軸受片３２に立設された図示しない第２の回動軸と、この第２の回動軸とケース部１３ｂとの間に摩擦力を生じさせて液晶ディスプレイ１３を任意の角度で保持できるようにした図示しない回動摩擦機構から構成されている。第２の回動軸は第１の回動軸３３の軸心線方向と直交する方向に延在されていて、図２に示すように、液晶ディスプレイ１３が略２７０度の角度範囲で前後方向Ｔに回動可能とされている。その結果、液晶ディスプレイ１３は、表示面１３ａを上側に現した状態から後方へ９０度回動させて表示面１３ａを背面に向けた状態（通常の撮影状態）を経て、更に後方へ９０度回動させることによりケース面を上側に現した状態（表示面１３ａは下向き）と、その状態から逆方向へ２７０度回動させて表示面１３ａを前側（被写体側）に向けた状態（自己を撮影する状態）を取ることができる。
【００３４】
又、液晶ディスプレイ１３は、その表示面１３ａを下に向けてケース部１２ｂの面を上側に現した状態から左右方向に１８０度回動させることにより、台座部２４の上に液晶ディスプレイ１３を重ね合わせて表示面１３ａを上側に現した状態を取ることができる。この表示面１３ａが表側である上面に現された状態では、その表示面１３ａは、台座部２４の上面２４ａと同様に傾斜角Φによって取手２０の中心線ＴＬに対して若干後向きに傾斜されている。なお、液晶ディスプレイ１３の表示面１３ａが被写体に向く状態（自己を撮影する状態）のときには、切替えスイッチの作動を介して画像が自動的に反転するように構成する。
【００３５】
このように台座部２４によって姿勢変更可能に支持された液晶ディスプレイ１３の近傍であって、取手２０の把持部２０ｃの前端部２０ｄには、ビデオカメラ１０を操作するための操作ボタンの一具体例を示す録画ボタン３５と、レンズ装置１２を操作するための操作ボタンの一具体例を示すズームボタン３６が設けられている。この前端部２０ｄ上面は、台座部２４の上面２４ａと同様に傾斜角Φによって若干後向きに傾斜され、把手２０の中心線ＴＬと傾斜角Φで交差するように設定されているが前端部２０ｄ上面は、取手２０の中心線ＴＬと平行であってもよい。
【００３６】
録画ボタン３５とズームボタン３６は横並びに配置されていて取手２０を手で持った状態において、持ち方を変えることなく親指でともに操作できる位置に設定されている。これら録画ボタン３５及びズームボタン３６は、操作性を向上するために取手２０に設けた第２の録画ボタン及び第２のズームボタンである。そのため、図３に示す様にケース本体１１の開閉蓋１４と反対側のケース本体１１の側面上部には、第２の録画ボタン３５及び第２のズームボタン３６とは別個独立に第１の録画ボタン３７と第１のズームボタン３８が設けられている。
【００３７】
図３に示す符号４０は、ビデオカメラ１０の取り落とし等を防止するためのハンドベルトである。また、符号４１は、フラッシュ装置等が着脱自在に装着されるアクセサリーシューである。本例に用いられるアクセサリーシュー４１はマイクロホン２６を内蔵する突出部２５の上部に三脚用の雄型のアクセサリーシュー４１が取り付けられている。アクセサリーシュー４１は取り付けたアクセサリーが落ちない様に外れにくい構造をとつている。アクセサリーを取り付けるときは、図３に示す様に雌型のシューアダプタ７２を雄型のアクセサリーシュー４１に押し付けながら嵌め合わせ、固定ネジ７３で締め付ける様に固定する様に成されている。図３はビデオカメラ１０を図１、２、４とは反対側から視た外観斜視図を示すものでレンズ装置１２のレンズ部にはレンズキャップ付フード７１をつけた状態を示す。  
【００３８】
このような構成を有するビデオカメラ１０は、例えば、次のようにして良好な撮像作業等を実行することができる。まず、図１の状態では、液晶ディスプレイ１３が取手２０の台座部２４に格納されていて、其の表示面１３ａが操作ボタン群２７と重なり合うよう内向きに対向されているため、表示面１３ａをしっかりと保護することができる。ビデオカメラ１０の図１の状態から、回動支持部３０の第１の回動部を中心に液晶ディスプレイ１３を左右方向Ｓへ略１８０度回動させることにより、液晶ディスプレイ１３を側方に突出させて表示面１３ａを上方へ向けることができる。この状態では、液晶ディスプレイ１３の表示面１３ａを見て、被写体の状態を確認することができる。また、台座部２４に設けられた操作ボタン群２７が露出されるため、その操作ボタン群２７を使用してビデオカメラ１０の撮像手段を操作することができる。例えば、撮影した映像を再生するためのボタン類を配置しておくことにより、その映像内容の確認を容易に行うことができる。
【００３９】
更に、回動支持部３０の第２の回動部を中心に液晶ディスプレイ１３を前方へ略９０度回動させることにより、表示面１３ａを被写体に向けることができる。また、液晶ディスプレイ１３を後方へ略９０度回動させることにより、図２の様に表示面１３ａを撮影者に向けることができる。このような状態のビデオカメラ１０を、液晶ディスプレイ１３の表示面１３ａを撮影者の目線上に設定して支持することにより、楽な姿勢でビデオカメラ１０を支持しつつ、その表示面１３ａを目で見て被写体を確認しながら撮影することができる。
【００４０】
この場合、手に大きな力を加えることなく、比較的小さな力でビデオカメラ１０を楽に、しかも確実に支えることができる。そのため、長時間の撮影においても疲労を少なくし、表示面１３ａが安定してブレの少ない良好な撮影を行うことができる。
【００４１】
又、回動支持部３０の第２の回動部を中心に液晶ディスプレイ１３を更に後方へ略９０度回動させて表示面１３ａを下に向けた後、第１の回動部を中心に液晶ディスプレイ１３を左右方向Ｓへ略１８０度回動させ、液晶ディスプレイ１３を台座部２４に格納することにより、表示面１３ａを操作ボタン群２７の上に重ね合わせて上方へ向けることができる。この状態では、ケース本体１１の中心線上に液晶ディスプレイ１３が設置されるため、表示面１３ａを見易くすることができる。しかも、液晶ディスプレイ１３の両端がケース本体１１の側面部から側方に大きく突出することがないため、撮影時に液晶ディスプレイ１３が邪魔になることがない。
【００４２】
このような液晶ディスプレイ１３の取り付け姿勢は、ビデオカメラ１０がブレないように電子ビューファインダ２１の先端のアイカップ２２を胸に押し当ててビデオカメラ１０を固定して撮影する場合に好適である。このようなビデオカメラ１０の固定状態で撮影者が液晶ディスプレイ１３の表示面１３ａを見ると、その目が水平方向を見るときの水平目線とその目が表示面１３ａを見るときの表示面目線とのなす角度を、従来例の場合に比べて小さくすることができる。そのため、撮影者が被写体と表示面１３ａを交互に見るために頭を上下方向に振る角度を小さくすることができる。従って、首の振れを少なくして首の筋肉疲労を軽減できるとともに、録画チャンスを逃すおそれを少なくすることができる。
【００４３】
更に、液晶ディスプレイ１３の取り付け姿勢として、取手２０を手で持ってビデオカメラ１０を下げた状態で撮影する、いわゆるローアングル撮影をする場合に好適である。この状態では、取手２０を持つ手のすぐ前方に液晶ディスプレイ１３の表示面１３ａが配置されているとともに、その表示面１３ａが後方へ少々傾斜されているため、楽な姿勢において目線を表示面１３ａ上におくことができる。そのため、従来例の場合に比べて楽な姿勢で表示面１３ａを見ることができる。
【００４４】
しかも、ローアングルで撮影する場合に、液晶ディスプレイがケース本体１１の側面部から側方に大きく突出していないため、撮影者の肩の関節と手首の関節を結ぶ腕線と肩の関節から垂直に降ろした垂線とのなす角度を従来よりも小さくすることができるため、撮影者の足に当たらないようにビデオカメラ１０を足から所定距離だけ遠ざけるようにしても、そのときの手の角度を小さくすることができ、従って、手を足から遠ざける力を小さくすることができる。これにより、重さを感じ易い窮屈な姿勢を軽減させて、比較的楽にビデオカメラ１０を捧げ持つことができる。
【００４５】
更に、取手２０の把持部２０ｃにおける台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。
【００４６】
上述のビデオカメラ１０の外観構造から得られる構成効果を述べたが、以下取手２０の先端に形成された突出部２５部分の詳細構造を図５乃至図９以下で説明する。図５は突出部２５を形成するマイクロホン２６のマイクロホン筐体７５の要部の斜視図、図６はビデオカメラ１０のマイクロホン筐体７５上に業務用アクセサリーとしてライトを装着した状態を示す斜視図、図７はアクセサリーシューアダプタの組み立て状態を表面側から視た斜視図、図８はアクセサリーシューアダプタの国縦状態を裏面側から視た斜視図、図９はアクセサリーシューアダプタを介して民生用のアクセサリーとしてのライトを装着した状態を示す斜視図を示すものである。
【００４７】
図５に於いて、取手２０と一体に構成されている突出部２５のマイクロホン筐体７５はマグネシューム、アルミニウム合金で成型されている。即ち、マイクロホン２６が内蔵されるマイクロホン筐体７５は断面がコ字状に形成され、表示手段としての液晶ディスプレイ１３が回動可能に取付られた台座部２４の前端から延設された上板７６及び下板７７間に左右のマイクロホンが配設されて、図１〜図４に示す様にメッシュ状のカバーで閉蓋する様に成されている。
【００４８】
マイクロホン筐体７５を構成する上板７６の上面にはアクセサリーシュー４１を前方向及び左右方向に移動出来ないようなコ字状の突部７８が同時に成型され、この突部７８内に略矩形状の板材から成るアクセサリーシュー４１が嵌め合されてカシメ付等の所定の方法で固定される。このアクセサリーシュー４１は丈夫で固い鋼材や５２Ｓ合金等の金属部材で構成される。
【００４９】
アクセサリーシュー４１は左右端の上面が下方より左右端に突出し、横断面が略Ｔ字状とされた通常、三脚等に取り付けられていると同様の雄型のアクセサリーシューであり、アクセサリーシュー４１の本体の中心位置にはアクセサリー類をネジ止めする雄ネジ８４と螺合する雌ネジ７９が刻設されている。以後、本発明ではこの様なシューを三脚用シュー４１と記す。
【００５０】
雌ネジ７９の下側に対向する上板７６位置には雄ネジの先端の逃げ穴、或いは楕円状の脚出部が形成されている。
【００５１】
上述の如き三脚用のアクセサリーシュー４１に直接的に業務用の大型ライト８０を固定した状態を図６Ａに示す。業務用のアクセサリーとしての大型ライト８０等では通常ライトの脚８１のネジ止め部８２の下端に断面逆Ｔ字状の脚８３が形成され、雄ネジ８４で所定位置にネジ止めする様に成されている。従って、本例では三脚用シュー４１の上面が図６Ｂの様にフラットに成されているので、大型ライト８０のネジ止め部８２の脚８３を三脚用シュー４１の上面に載置し、雄ネジ８４でアクセサリーシュー４１の中央に形成した雌ネジ７９に螺合させて強固に固定することが出来るので信頼性の高い固定方法が得られる。
【００５２】
業務用の大型ライト等ではＡＣ電源を用いて動作させるので特にホットシューを考慮する必要はない。本例ではコールドシューを対称とし、ホットシューについては考慮していない。勿論、業務用、プロ用、ハイアマチュア用等で三脚用シュー４１に形成したＴ字状の凸部に嵌り合う凹部を設けたシューがネジ止め部８２に取り付けられているものでは三脚用シュー４１にスライドさせて雄ネジ８４で固定可能である。
【００５３】
上述の様な業務用のアクセサリーをビデオカメラ１０の突出部２５に直接的に取り付けても、アクセサリー類は背も高く、図６Ａの台座部２４の上にある図２の如き液晶ディスプレイ１３を回動させても、回転軌跡に干渉することはまれであるので、業務用のアクセサリーが邪魔になることはない。
【００５４】
次に、図７及び図８を用いて図３で説明したアクセサリーシューアダプタ７２の詳細構造を説明する。先ず、図７のアクセサリーシューアダプタ７２を裏側から視た組立状態斜視図に於いて、８５はシューアダプタのベースでマグネシュー、アルミニウム合金等の金属で略矩形状のアクセサリーシュー取付部８６とネジ取付部８７から構成され、アクセサリーシュー取付部８６は厚手にネジ取付部８７は薄手で段付き構造に形成されている。ネジ取付部８７には固定用ネジ７３のネジ部と鍔環９５が貫通可能な透孔８８、位置合わせ孔８９、皿孔９０が形成され、アクセサリーシュー取付部８６にも後述するカバー９７に対応する位置に雌ネジ９１が形成されている。
【００５５】
９２はシューアダプタのガイドで断面コ字状にマグネシューム、アルミニウム合金等の金属等で形成され、中央には固定用ネジ７３のネジ部と鍔環９５が貫通する透孔９３及びネジ止め９３ａが穿たれ、透孔９３の両端にはピン９４が植立されている。
【００５６】
ガイド９２は矢印Ｈで示す様にベース８５のネジ取付部８７に挿入され、ピン９４を位置合せ孔８９に合せて、ネジ９５によってネジ止めされる。
【００５７】
９７はシューアダプタ用のカバーで合成樹脂で所定形状に成型されベース８５のアクセサリーシュー取付部８６及びネジ取付部８７の外形を包み込む様に成され、カバー９７はベース８５と同様に段付きのアクセサリーシュー取付部１２２とネジ取付部１２３で構成され、アクセサリーシュー取付部１２２にはネジ孔１２０及び位置合せ孔１２０ａが穿たれネジ取付部１２３には摘み７３ａが入り込む大きさの透孔９９が穿たれている。
【００５８】
カバー９７の凹部１２４内にベース８５を嵌め合せる際にスプリング９８をネジ取付部１２３の透孔９９に嵌め合せる。次に固定用ネジ７３のネジ部を透孔９９に通し鍔環９６を固定用ネジ７３の切溝１２１に嵌着させる。
【００５９】
上述の様に組み上がった固定用ネジ７３は図８に示す様にカバー９７の透孔９９内でスプリング９８により上方向に偏倚力が与えられている。又、摘み７３ａの上面には板状のネジを回して回動可能な様に切溝１２５が形成されている。
【００６０】
カバー９７のアクセサリーシュー取付部１２２に形成された矩形状の凹部１２６内にカバー９７を補強する矩形状のアクセサリーシュートップ１２７を嵌め合せる。アクセサリーシュートップ１２７内にはリブ１２８及びボス１２９が形成され、ネジ孔１３０が底板に穿たれ、アクセサリーシュートップ１２７の底板の裏側にはベース８５の透孔９１ａに対向する位置決めピン（図示せず）が立設されている。
【００６１】
１３１はマグネシューム、アルミニウム合金等の金属性の補強用連結板で略Ｈ字状に形成され、ネジ孔１３２や雌ネジ１３３が形成されている。連結板１３１はネジ１３４でベース８５の雌ネジ９１に螺合して固定される。この連結板１３１はアクセサリーシュー１３５をアクセサリーシューアダプタ７２に強固に固定するためのものである。
【００６２】
金属性の雌型の断面コ字状の通常３５ｍｍのカメラ等に多く利用されているアクセサリーシュー１３５は連結板１３１が組み込まれたシューアダプタトップ１２７上に載置される。即ち、アクセサリーシュートップ１２７のボス１２９をアクセサリーシュー１３５のボス孔１３７に合せてネジ１３８を透孔１３６を通して連結板１３１の雌ネジ１３３に固定させることでアクセサリーシューアダプタ７２が組み立てられる。
【００６３】
上述の如きアクセサリーシューアダプタ７２を用いたビデオカメラ１０のマイクロホン筐体７５に民生用ライト８０ａを取付けた状態の斜視図を図９に示す。
【００６４】
アクセサリーシューアダプタ７２のガイド９２をビデオカメラ１０の突出部２５に固定したアクセサリーシュー４１に挿通しスライドさせた後に固定用ネジ７３の摘み７３ａを回して雌ネジ７９に螺合させることでアクセサリーシューアダプタ７２はビデオカメラ１０の突出部２５のマイクロホン筐体７５に強固に固定される。更に民生用ライト８０ａをアクセサリーシューアダプタ７２のアクセサリーシュー１３５内に挿入し、固定ネジ１３９の摘みで固定すれば民生用ライト８０ａをビデオカメラ１０に載置可能である。
【００６５】
この様な民生用のアクセサリーは概ね小さく、ＤＣ電源は、ビデオカメラ本体から供給するかバッテリーで駆動するので、アクセサリーシューアダプタ７３をアクセスシュー４１の取付位置より前方で且つアクセサリーシューアダプタ７２は上方に成る様に段差を付けて形成されているので例えば、アクセサリーである民生用ライト８０ａの後部側にバッテリー等が大きく出っ張る様なアクセサリーを取り付けても液晶ディスプレイ１３の回動操作を邪魔すること無く配置出来る。
【００６６】
本発明の撮像装置及びシューアダプタに依れば大型の業務用途の多い撮像装置でも、小型のシューアダプタを用いるだけで民生用のアクセサリーを利用可能と成り、業務用及び民生用に共用のものが得られる。
【００６７】
又、アクセサリーシューアダプタを非常にコンパクトに作製可能で携帯性に優れたものが得られる。
【００６８】
更に、業務用及び民生用のアクセサリーを使用しても、液晶ディスプレイ操作に邪魔になることはない。更に、又アクセサリーを非常に強固に保持することが出来るものが得られる。
【００６９】
更に、撮影時には、ケース本体１１の上部に設置された取手２０の全部に液晶ディスプレイ１３を配置する構成としたため、撮影者がビデオカメラ１０を体から遠ざけることなく、しかも上に持ち上げる動作を極力避けて支持することができ、非常に持ち易くすることができた。しかも、ローアングル撮影時に取手２０を握りながら撮影する場合においても、液晶ディスプレイ１３が邪魔になることがないから、窮屈な撮影姿勢を強いられることがなく、楽な操作で撮影活動を行うことができる。
【００７０】
又、取手２０の近傍に液晶ディスプレイ１３が配置されているため、目線を大きく動かすことなく表示面１３ａを見ながら操作ボタンの操作を行うことができ、この種の撮影装置における操作性を大幅に向上させることができる。更に、取手２０に比較的大きな表示装置を配置したことにより、ケース本体１１の内部構造に余裕を生じさせることができ、機能面のアップを図ることができるとともに、デザイン面の自由度を高めることができる。
【産業上の利用可能性】
【００７１】
上述の形態例においては、取手２０に対して液晶ディスプレイ１３を姿勢変更可能に構成した例について説明したが、液晶ディスプレイ等の表示装置を取手と一体に設ける構成としてもよいことは勿論である。例えば、図２において、操作ボタン群２７をなくし且つ回動支持部３０を廃止して、液晶ディスプレイ１３を取手２０に埋設するようにする。この場合、操作ボタン群１８を液晶ディスプレイ１３の近傍に配置するように構成してもよいことは勿論である。
【００７２】
本発明は、前述し、且つ図面に示した実施の形態に限定されるものではなく、その要旨を逸脱しない範囲内で種々の変形実施が可能である。例えば、前記実施例においては、突出部２５上の三脚用のアクセサリーシュー４１の上に業務用の大型ライト８０の脚８３を載置して雄ネジ８４で螺着したが、Ｔ字状のアクセサリーシュー４１に嵌め合わせる構造と成された脚８３として、このアクセサリーシュー４１にスライドさせると共に雄ネジ８４で固定する様にしてもよい。更にアクセサリーシューアダプタ７２の構造も図７及び図８に示された構成に限定されるものでなく、通常のアクセサリーシュー１３５及び三脚用アクセサリーシュー４１に螺合可能な固定ネジ７３を作製すれば良く、前記実施例に挙げたものに限定されるものではない。
【図面の簡単な説明】
【００７３】
【図１】本発明の撮像装置としてのビデオカメラの１形態例を示すカセット挿入口の開閉蓋を開いた状態を示す斜視図である。
【図２】図１のビデオカメラのカセット挿入口の開閉蓋を閉じた状態を示す斜視図である。
【図３】図１及び図２に示すビデオカメラとは反対側から視たビデオカメラの斜視図である。
【図４】図１及び図２に示すビデオカメラの側面図である。
【図５】本発明のビデオカメラの取手先端部に設けた突出部を前方から視た斜視図である。
【図６】本発明のビデオカメラに業務用のアクセサリー用のライトを取付けた状態を示す斜視図である。
【図７】本発明のシューアダプタを裏面側から視た組立状態斜視図である。
【図８】本発明のシューアダプタを表面側から視た組立状態斜視図である。
【図９】本発明のビデオカメラに民生用のアクセサリー用のライトを取付けた状態を示す斜視図である。
【図１０】従来のシューアダプタの斜視図である。
【符号の説明】
【００７４】
１０…ビデオカメラ（撮像装置）、１１…ケース本体、１２…レンズ装置、１３…液晶ディスプレイ（表示装置）、１３ａ…表示面、１３ｂ…ケース部、２４…台座部、２７…操作ボタン群、３０…回動支持部、３３…回動軸、３５，３７…録画ボタン（操作ボタン）、３６，３８…ズームボタン（操作ボタン）、４１…アクセサリーシュー、５０…カセットホルダ、５１…ＤＶカセット、５３…カセット挿入口、６９…ズームスイッチ、７２…アクセサリーシューアダプタ、７３…固定ネジ、７５…マイクロホン筐体、７６…上板、７９…雌ネジ、８０…大型ライト、８０ａ…民生用ライト、８３…脚、８４…雄ネジ、８５…ベース、９２…ガイド、９７…カバー
【図１】
2006074695.tif 000003
【図２】
2006074695.tif 000004
【図３】
2006074695.tif 000005
【図４】
2006074695.tif 000006
【図５】
2006074695.tif 000007
【図６】
2006074695.tif 000008
【図７】
2006074695.tif 000009
【図８】
2006074695.tif 000010
【図９】
2006074695.tif 000011
【図１０】
2006074695.tif 000012